(57)【要約】【課題】  発光光源の近傍の照射面においても、色むらや輝度むら等を低減させて均一に照明することができる発光光源を提供する。【解決手段】  発光光源２１は、透明な導光部２２、反射鏡２３及び発光光源２４Ｒ、２４Ｇ、２４Ｂからなる。導光部２２の裏面には、入射した光の一部を反射させ残りの光を透過させる光反射面２６が形成されている。反射鏡２３の前面には光を正反射させる光反射面３３が形成されている。発光素子２４Ｒ、２４Ｇ、２４Ｂから出射された光は、２層の光反射面２６、３３で反射されて導光部２２から前方へ出射される。【選択図】      図１７
2006339320.tif 000002
【特許請求の範囲】
【請求項１】
光を反射させる反射鏡と、前記反射鏡の光反射面側に配置された導光部と、前記導光部に向けて光を出射する発光素子とを備えた発光光源において、
前記導光部は、一部の光を反射させ残りの光を透過させる光反射面を前記反射鏡の光反射面と対向する面に有し、かつ、前記発光素子から出射された光、前記導光部の光反射面で反射された前記発光素子の光及び前記反射鏡の光反射面で反射された前記発光素子の光を外部へ出射する光出射面を有することを特徴とする発光光源。
【請求項２】
前記導光部の光反射面及び前記反射鏡の光反射面はそれぞれ、段差部によって区切られた複数の反射領域を有することを特徴とする、請求項１に記載の発光光源。
【請求項３】
前記導光部の光反射面は、前記反射鏡の光反射面に形成された段差部によって光が出射されにくくなった領域へ向けて光を反射させるように形状を定められていることを特徴とする、請求項２に記載の発光光源。
【請求項４】
前記導光部の光反射面と前記反射鏡の光反射面とは、同じ形状を有していることを特徴とする、請求項１に記載の発光光源。
【請求項５】
前記導光部の光反射面と前記反射鏡の光反射面とは、前記光出射面に垂直な方向から見たとき、互いに位置がずれていることを特徴とする、請求項４に記載の発光光源。
【請求項６】
前記導光部の光反射面と前記反射鏡の光反射面とは、異なる形状を有していることを特徴とする、請求項１に記載の発光光源。
【請求項７】
前記導光部の光反射面と前記反射鏡の光反射面との間に、一部の光を反射させ残りの光を透過させるさらに別な光反射面を有することを特徴とする、請求項１に記載の発光光源。
【請求項８】
前記導光部の光反射面と前記反射鏡の光反射面との間の空間に、前記導光部よりも屈折率の小さな媒質が充填されていることを特徴とする、請求項１に記載の発光光源。
【請求項９】
光を出射する発光素子と、発光素子から出射された光を反射させる光反射面と、前記発光素子から出射された光及び前記光反射面で反射された前記発光素子の光を外部へ出射する光出射面を有する導光部とを備えた発光光源において、
前記光反射面は、一部の光を反射させ残りの光を透過させる一部反射面とほぼすべての光を反射させる高反射率反射面との複数面によって構成されていることを特徴とする発光光源。
【請求項１０】
請求項１又は９に記載の発光光源を複数個配列したことを特徴とする発光光源アレイ。
【請求項１１】
請求項１又は９に記載した複数個の発光光源を同一平面内に配列したことを特徴とするバックライト。
【請求項１２】
請求項１又は９に記載の発光光源を複数個配列した発光光源アレイと、前記発光光源アレイに対向させて配置された液晶表示パネルとを備えた液晶表示装置。
【請求項１３】
光を反射させる反射鏡と、前記反射鏡の光反射面側に配置された導光部と、前記導光部に向けて光を出射する発光素子とを備えた発光光源における光の出射方法であって、
前記導光部の前記反射鏡と対向する面で、前記発行光源から出射された光のうち一部の光を反射させ残りの光を透過させると共に、前記導光部の前記反射鏡と対向する面を透過した光を前記反射鏡の光反射面で反射させることにより、前記発光素子から出射された光、前記導光部の前記反射鏡と対向する面で反射された前記発光素子の光及び前記反射鏡の光反射面で反射された前記発光素子の光を外部へ出射させることを特徴とする発光光源における光の出射方法。
【発明の詳細な説明】
【技術分野】
【０００１】
本発明は、発光光源及び発光光源における光の出射方法に係り、特に、ＬＥＤ（発光ダイオード）チップを用いた発光光源に関するものである。
【背景技術】
【０００２】
大面積で光利用効率の高い発光光源としては、特許文献１に開示されたものがある。図１はこのような発光光源１１の一部を示す断面図である。発光光源１１は、透明樹脂からなるモールド部１４の裏面中央部に白色又は単色の発光素子１３を配置し、モールド部１４の裏面に形成されたフレネル反射面形状のパターンにＡｌやＡｕ、Ａｇ等の金属薄膜を蒸着させて反射鏡１２を形成したものである。図２は発光光源１１からモールド部１４を除いて発光素子１３と反射鏡１２を表わした正面図である。反射鏡１２は、フレネル反射面形状をしていて、同心円状に配置された複数の輪帯状をした反射領域１２ａ、１２ｂ、…からなる。
【０００３】
しかして、この発光光源１１にあっては、図１に示すように、発光素子１３から出射された光のうち、モールド部１４の前面の中央部（以下、直接出射領域という。）１５ａに入射した光Ｌ１は、直接出射領域１５ａを透過して前面側に出射される。また、モールド部１４前面の直接出射領域１５ａの周囲に位置する領域（以下、全反射領域という。）１５ｂに入射した光Ｌ２は、全反射領域１５ｂで全反射された後、反射鏡１２で反射され、さらに全反射領域１５ｂを透過して前面に向けて出射される。従って、このような発光光源１１にあっては、１つの反射領域（例えば１２ｃ）で反射された光Ｌ２の広がりＡは、反射領域（１２ｃ）の広さにほぼ等しくなっている。
【０００４】
カラー液晶ディスプレイ用のバックライトでは、白色ＬＥＤなどの白色光源を用いるよりも、赤色ＬＥＤ、緑色ＬＥＤ、青色ＬＥＤなどの多色光源を用いるほうが、カラー液晶ディスプレイの三原色の発色がよく、色再現性に優れている。しかしながら、上記のような構造の発光光源１１において、反射鏡１２の中心部に例えば赤、緑、青の３つ発光色の発光素子を配置して白色光源を構成した場合には、各色の光が分離してしまい、発光光源１１に色むらが発生する問題があった。以下、この理由を説明する。図３は発光光源１１においてその中心部に赤、緑、青の３つの発光色の発光素子１３Ｒ、１３Ｇ、１３Ｂを配置した場合の各色の光の挙動を表わしている。例えば、図３では赤色の光をＬＲ、緑色の光をＬＧ、青色の光をＬＢで表わし、発光光源１１から一定距離に設定された照射面Ｔにおける赤色光ＬＲの照射領域をＡＲ、緑色光ＬＧの照射領域をＡＧ、青色光ＬＢの照射領域をＡＢで表わしている。
【０００５】
この発光光源１１の場合には、各発光素子１３Ｒ、１３Ｇ、１３Ｂの位置がわずかにずれているので、全反射領域１５ｂで反射された後に反射領域１２ｃで反射された光の出射方向が光の色によって異なり、そのため各色の照射領域ＡＲ、ＡＧ、ＡＢも互いにずれている。そのため、各色の光が重なりあって白色光となる領域Ｗは、図３において斜線を施した領域となる。図３からも分かるように、斜線を施した白色光の領域Ｗは反射領域１２ｃに比べて狭く、その外側の領域では出射光が色づいて色むらが発生している。
【０００６】
このような問題を解決しようとすれば、各反射領域１２ａ、１２ｂ、…をさらに小さく分割し、各色の光に応じて反射領域の断面形状を設計すればよい。例えば、図４に示す発光光源１６では、反射領域１２ｃをさらに３つの反射領域１７ａ、１７ｂ、１７ｃに分割し、反射領域１７ａでは青色光ＬＢが前面方向に出射されるように反射領域１７ａを設計し、反射領域１７ｂでは緑色光ＬＧが前面方向に出射されるように反射領域１７ｂを設計し、反射領域１７ｃでは赤色光ＬＲが前面方向に出射されるように反射領域１７ｃを設計している。
【０００７】
このようにして設計された発光光源１６では、各色の光が重なりあって白色光となる領域Ｗは、図４に示すように反射領域１７ａ、１７ｂ、１７ｃの全体（すなわち、反射領域１２ｃ）と同程度となる。
【０００８】
図４の例からも分かるように、複数色の発光素子を用いた場合でも、光源の反射鏡の分割数を大きくすれば、発光光源の色むらを低減させ、色の均一性を向上させられることが分かる。また、単色又は複数色の発光素子において、反射鏡の分割数を大きくすれば、光の進行方向を詳細に設定することが可能になるので、光路設計の自由度が向上し、光の出射方向のより詳細な調整が可能になり、また、光強度の均一性を向上させられる。
【０００９】
ところで、発光光源を組み込む機器、例えば液晶表示装置の薄型化に対応して発光光源と液晶パネルとの距離を短くすることが必要となっており、そのためには色むら無く均一に照明することのできる照射面をできるだけ発光光源に近づけることが要求されている。そのため、図４に示したような構成の発光光源１６において照射面Ｔをさらに発光光源１６に接近させると、図５に示すように、各色の光ＬＲ、ＬＧ、ＬＢが重なりあって白色光となる領域Ｗが再び反射領域１２ｃに比べて小さくなり、色むらが発生する。
【００１０】
さらに、照射面が発光光源に接近して照射面と発光光源との距離が非常に短くなると、図６に示すように反射鏡１２の反射領域間に形成された段差部１８の影響による輝度むらが顕著になってくる。すなわち、フレネル反射面形状をした反射鏡１２では、各反射領域間に段差部１８が形成されているので、各反射領域には段差部１８の陰になって光Ｌ３の入射しない領域が発生する。このため照射面が発光光源に接近すると、この領域が照射面Ｔに投影されて暗部１９が生じることになり、照射面Ｔに光反射面のパターンが映り込むことになる。
【００１１】
この場合、反射鏡の反射領域をさらに細分化することによって照射面における色むらや輝度むら等を低減させる方法では、照射面を発光光源に近づけるにつれて反射鏡の反射領域を微細化しなければならず、反射鏡の製作が難しくなり、コストが増大する。よって、照射面が発光光源に近くなると、反射鏡の分割数が次第に大きくなり、発光光源の性能向上とコストとのバランスが取れなくなるという問題がある。さらに、反射鏡の反射領域を細分化する方法では、かえって段差部が増加するので、照射面における光反射面のパターンの映り込みを減少させることができない。
【００１２】
なお、ここでは複数色の発光素子を用いた発光光源において、色むらの問題を説明したが、単色又は１個の発光素子を用いた発光光源においても、同様な理由から照射面が発光光源に接近するに従って輝度むらが顕著に表われる。
【００１３】
【特許文献１】特開２００４−１８６０９２号公報
【発明の開示】
【発明が解決しようとする課題】
【００１４】
本発明の目的とするところは、発光光源の近くに照射面を設定した場合にも、照射面において色むらや輝度むら等を低減させて均一に照明することができる発光光源と発光光源における光の出射方法を提供することにある。
【課題を解決するための手段】
【００１５】
本発明にかかる第１の発光光源は、光を反射させる反射鏡と、前記反射鏡の光反射面側に配置された導光部と、前記導光部に向けて光を出射する発光素子とを備えた発光光源において、前記導光部は、一部の光を反射させ残りの光を透過させる光反射面を前記反射鏡の光反射面と対向する面に有し、かつ、前記発光素子から出射された光、前記導光部の光反射面で反射された前記発光素子の光及び前記反射鏡の光反射面で反射された前記発光素子の光を外部へ出射する光出射面を有することを特徴としている。ここで、光出射面とは、発光素子から導光部に入った光が直接に、あるいは導光部の光反射面で反射された後に、あるいは反射鏡の光反射面で反射された後に、導光部から出射される面であって、導光部の光反射面と反対側の面にあたる。
【００１６】
本発明にかかる第１の発光光源にあっては、反射鏡の光反射面と、一部の光を反射させ残りの光を透過させる導光部の光反射面とが対向している。従って、発光素子から出射され導光部の光出射面で全反射された後に導光部の光反射面に入射した光は、その一部が導光部の光反射面で反射されて導光部の光出射面から前方へ出射される。また、残りの光は、導光部の光反射面を透過した後、反射鏡の光反射面で反射されて光出射面から前方へ出射される。こうして、導光部の光反射面で反射されて前方へ出射される光と反射鏡の光反射面で反射されて前方へ出射される光とが重なり合うことにより、色むらや輝度むらを低減させて前方を均一に照明することができる。特に、発光光源の近傍における照射面において、色むらや輝度むらを低減させて前方を均一に照明することが可能になる。
【００１７】
本発明にかかる第１の発光光源のある実施態様は、前記導光部の光反射面及び前記反射鏡の光反射面がそれぞれ、段差部によって区切られた複数の反射領域を有することを特徴としている。かかる実施態様によれば、反射領域間が段差部によって区切られているので、導光部の光反射面の全体としての厚み（奥行き）と反射鏡の光反射面の全体としての厚み（奥行き）を小さくすることができ、発光光源を薄型化することができる。また、各光反射面を複数の反射領域に区切ることで、導光部の光出射面から出射される光線を詳細に制御することができる。
【００１８】
なお、この発光光源においては、例えば導光部の光反射面で反射されて光出射面から出射される光が目的とする光学的特性が得られるように設計された光線で、反射鏡の光反射面で反射されて光出射面から出射される光が補助光線となるようにしてもよい。あるいは、反射鏡の光反射面で反射されて光出射面から出射される光が目的とする光学的特性が得られるように設計された光線で、導光部の光反射面で反射されて光出射面から出射される光が補助光線となるようにしてもよい。
【００１９】
本発明にかかる第１の発光光源の別な実施態様は、前記導光部の光反射面が、前記反射鏡の光反射面に形成された段差部によって光が出射されにくくなった領域へ向けて光を反射させるように形状を定められていることを特徴としている。かかる実施態様によれば、反射鏡の光反射面に段差を設けたことによって光が供給されにくくなった領域には、導光部の光反射面によって光を反射させるようにしているので、照射面における輝度を均一化し、色むらや輝度むらを低減することができる。
【００２０】
本発明にかかる第１の発光光源のさらに別な実施態様は、前記導光部の光反射面と前記反射鏡の光反射面とが、同じ形状を有していることを特徴としている。かかる実施態様においては、導光部の光反射面と反射鏡の光反射面が同じ形状を有しているので、発光光源の設計が容易になる。
【００２１】
この実施態様においては、前記導光部の光反射面と前記反射鏡の光反射面とが、前記光出射面に垂直な方向から見たとき、互いに位置がずれていてもよい。この場合には、導光部の光反射面と反射鏡の光反射面とが同一形状であっても、互いに位置がずれているので、導光部の光反射面による光の反射方向と反射鏡の光反射面による光の反射方向との違いを大きくすることができ、導光部の光出射面から出射される光を均一化する効果を高めることができる。
【００２２】
本発明にかかる第１の発光光源のさらに別な実施態様は、前記導光部の光反射面と前記反射鏡の光反射面とが、異なる形状を有していることを特徴としている。かかる実施態様においては、導光部の光反射面と反射鏡の光反射面とが異なる形状を有しているので、２つの光反射面の設計の自由度が高くなり、導光部の光出射面から出る光を均一化する効果が高くなる。
【００２３】
本発明にかかる第１の発光光源のさらに別な実施態様は、前記導光部の光反射面と前記反射鏡の光反射面との間に、一部の光を反射させ残りの光を透過させるさらに別な光反射面を有することを特徴としている。かかる実施態様によれば、３層の光反射面によって光を反射させて光出射面から出射させることができるので、光出射面から出射される光をより均一化することができる。よって、照射面における色むらや輝度ムラをさらに低減させることができる。
【００２４】
本発明にかかる第１の発光光源のさらに別な実施態様は、前記導光部の光反射面と前記反射鏡の光反射面との間の空間に、前記導光部よりも屈折率の小さな媒質が充填されていることを特徴としている。かかる実施態様によれば、導光板の光反射面で光をフレネル反射させることができる。かかる媒質の屈折率が小さいほど導光部の光反射面における反射率を高くすることができるので、この媒質としては空気を用いるのが望ましい。しかし、空間では反射鏡と導光部との距離を一定に保つのが困難であるような場合には、この空間に低屈折率の透明樹脂を充填してもよい。
【００２５】
本発明にかかる第２の発光光源は、光を出射する発光素子と、発光素子から出射された光を反射させる光反射面と、前記発光素子から出射された光及び前記光反射面で反射された前記発光素子の光を外部へ出射する光出射面を有する導光部とを備えた発光光源において、前記光反射面は、一部の光を反射させ残りの光を透過させる一部反射面とほぼすべての光を反射させる高反射率反射面との複数面によって構成されていることを特徴としている。
【００２６】
本発明にかかる第２の発光光源にあっては、光反射面を、一部の光を反射させ残りの光を透過させる一部反射面とほぼすべての光を反射させる高反射率反射面との複数面によって構成している。従って、発光素子から出射され導光部の光出射面で全反射された後に一部反射面に入射した光は、その一部が一部反射面で反射されて導光部の光出射面から前方へ出射される。また、残りの光は、一部反射面を透過した後、全部光反射面で反射されて導光部の光出射面から前方へ出射される。こうして、一部反射面で反射されて前方へ出射される光と高反射率反射面で反射されて前方へ出射される光とが重なり合うことにより、色むらや輝度むらを低減させて前方を均一に照明することができる。特に、発光光源の近傍における照射面において、色むらや輝度むらを低減させて前方を均一に照明することが可能になる。
【００２７】
本発明にかかる発光光源アレイは、本発明にかかる第１又は第２の発光光源を複数個配列したものである。かかる発光光源アレイによれば、大面積で、かつ、色むらや輝度むらの少ない照明手段を提供することができる。
【００２８】
本発明にかかるバックライトは、本発明にかかる第１又は第２の発光光源を複数個同一平面内に配列したものである。かかるバックライトによれば、大面積で、かつ、色むらや輝度むらの少ないバックライトを提供することができる。特に、カラー表示用の場合には、色むらを少なくして色の均一性を向上させることができる。
【００２９】
本発明にかかる液晶表示装置は、本発明にかかる第１又は第２の発光光源を複数個配列した発光光源アレイと、前記発光光源アレイに対向させて配置された液晶表示パネルとを備えたものである。かかる液晶表示装置によれば、画面の明るさを均一にすることができる。さらに、カラー表示の液晶表示装置にあっては、色の均一性を向上させることができる。
【００３０】
本発明にかかる発光光源における光の出射方法は、光を反射させる反射鏡と、前記反射鏡の光反射面側に配置された導光部と、前記導光部に向けて光を出射する発光素子とを備えた発光光源における光の出射方法であって、前記導光部の前記反射鏡と対向する面で、前記発行光源から出射された光のうち一部の光を反射させ残りの光を透過させると共に、前記導光部の前記反射鏡と対向する面を透過した光を前記反射鏡の光反射面で反射させることにより、前記発光素子から出射された光、前記導光部の前記反射鏡と対向する面で反射された前記発光素子の光及び前記反射鏡の光反射面で反射された前記発光素子の光を外部へ出射させることを特徴としている。
【００３１】
本発明にかかる発光光源における光の出射方法にあっては、導光部の反射鏡と対向する面で、一部の光を反射させ残りの光を透過させるようにしている。従って、発光素子から出射され導光部の光出射面で全反射された後に導光部の反射鏡と対向する面に入射した光は、その一部が導光部の反射鏡と対向する面で反射されて導光部の光出射面から前方へ出射される。また、残りの光は、導光部の反射鏡と対向する面を透過した後、反射鏡の光反射面で反射されて導光部の光出射面から前方へ出射される。こうして、導光部の反射鏡と対向する面で反射されて前方へ出射される光と反射鏡の光反射面で反射されて前方へ出射される光とが重なり合うことにより、色むらや輝度むらを低減させて前方を均一に照明することができる。特に、発光光源の近傍における照射面において、色むらや輝度むらを低減させて前方を均一に照明することが可能になる。
【００３２】
なお、本発明の以上説明した構成要素は、可能な限り任意に組み合わせることができる。
【発明を実施するための最良の形態】
【００３３】
以下、本発明の実施例を図面に従って詳細に説明する。ただし、本発明は以下の実施例に限るものでなく、用途等に応じて適宜設計変更することができる。
【実施例１】
【００３４】
図８は本発明の実施例１による発光光源２１の外形を示す斜視図である。図９は当該発光光源２１の外観斜視図である。図１０は当該発光光源２１の分解斜視図である。また、図１１Ａ、図１１Ｂ、図１１Ｃ及び図１１Ｄは、それぞれ当該発光光源の正面図、背面図、上面図及び側面図である。これらの図に示すように、発光光源２１は、導光部２２、反射鏡２３及び発光素子２４Ｒ、２４Ｇ、２４Ｂによって構成されている。
【００３５】
図１２Ａは導光部２２の前面側からの斜視図、図１２Ｂは導光部２２の裏面側からの斜視図である。図１３Ａ、図１３Ｂ、図１３Ｃ及び図１３Ｄは、それぞれ導光部２２の正面図、背面図、上面図及び側面図である。この導光部２２は、高屈折率の光透過性材料によって略皿状に成形されている。導光部２２を構成する光透過性材料としては、エポキシ樹脂やアクリル樹脂などの透明樹脂を用いてもよく、ガラス材料を用いてもよい。
【００３６】
図８又は図１２Ａに示すように、導光部２２は前面から見た形状は矩形状となっている。導光部２２の前面中央部には円形をした直接出射領域２９が設けられており、その外側には環状の溝２５を介して全反射領域３０が設けられている。直接出射領域２９は導光部２２の中心軸と垂直な平面によって形成された平滑な円形の領域であり、全反射領域３０も導光部２２の中心軸と垂直な平面によって形成された平滑な領域である。なお、図示例では、直接出射領域２９と全反射領域３０とは同一平面内に形成されており、直接出射領域２９は全反射領域３０と同じ高さに位置しているが、直接出射領域２９を溝２５内で全反射領域３０よりも突出させて直接出射領域２９を全反射領域３０よりも高くしてあっても差し支えない。逆に、直接出射領域２９を全反射領域３０よりも溝２５内に引っ込めて直接出射領域２９を全反射領域３０よりも低くしてあっても差し支えない。なお、直接出射領域２９は、第一義には、発光素子２４Ｒ、２４Ｇ、２４Ｂから出射された光をそのまま外部へ出射させる領域であるが、入射する光を全反射させる働きも有していてよい。同様に、全反射領域３０は、第一義には、入射した光を反射鏡２６側へ向けて全反射させる働きを有するが、入射した光を透過させて外部へ出射させる働きも有していてよい。
【００３７】
直接出射領域２９と全反射領域３０との間には円環状をした溝２５が設けられており、溝２５の底面には環状をした平面によって全反射領域３１が形成されている。また、溝２５の内周側側面には斜めに傾いた傾斜全反射領域３２が形成され、傾斜全反射領域３２は導光部２２の前面側へ向かうほど次第に直径が小さくなるようにテーパーのついた円錐台状に形成されている。この全反射領域３１と傾斜全反射領域３２も、第一義には、入射した光を全反射させる働きを有するが、入射する光の一部は傾斜全反射領域３２を透過して外部へ出射することもあり得る。
【００３８】
図１２Ｂ及び図１３Ｃに示すように、導光部２２の裏面は湾曲しており、当該裏面の中央部には円柱状をした突部２７が突出している。導光部２２の裏面において、突部２７を除く領域には、導光部２２前面の全反射領域３０等で全反射された光の一部を反射させ残りの光を透過させるための光反射面２６が形成されている。この光反射面２６には特に光学的な薄膜を設ける必要はなく、導光板２２と空気との界面となっているだけである。導光板２２の屈折率は空気の屈折率に対して十分に大きいので、この界面（光反射面２６）に光が入射すると、入射した光の一部がフレネル反射し、残りの光は透過する。あるいは、光の入射する角度によっては、入射した光のすべてが全反射される。
【００３９】
図１２に示すように、導光部２２の光反射面２６は、少なくとも２方向に沿って配列された複数の反射領域２８、２８、…に分割され、碁盤目状に形成されている。また、この光反射面２６は、導光部２２の厚みを薄くするためにフレネル反射面としてあり、各反射領域２８、２８、…間には段差部が形成されている。また、光反射面２６は縦横に複数の反射領域２８、２８、…に分割されているので、反射領域２８、２８、…の分割数を大きくすることができ、各反射領域２８、２８、…の曲面形状や傾きを制御することにより、導光部２２から出射される光線を詳細に設計することができる。なお、導光部２２の光反射面２６は、若干粗面にして光を拡散させるようにしておいてもよい。
【００４０】
図１４は反射鏡２３の前面側からの斜視図である。図１５Ａ、図１５Ｂ、図１５Ｃ及び図１５Ｄは、それぞれ反射鏡２３の正面図、背面図、上面図及び側面図である。また、図１６Ａは図１５ＡのＸ−Ｘ線断面図、図１６Ｂは図１５ＡのＹ−Ｙ線断面図である。反射鏡２３の前面は皿状に湾曲した凹面となっており、その中央部には丸い貫通孔３４が開口されている。反射鏡２３前面の湾曲面は、入射した光を正反射もしくは拡散反射させるための高反射率の光反射面３３となっている。光反射面３３を高反射率とするためには、反射鏡２３を高反射性樹脂（例えば、反射率が９５％以上のもの）やアルミニウム等の金属で成形して光反射面３３を平滑に仕上げたり、あるいは樹脂で成形された反射鏡２３の前面に金属薄膜を蒸着させたりすればよい。なお、反射鏡２３の光反射面３３にも若干の拡散性を持たせておいてもよい。
【００４１】
反射鏡２３の光反射面３３は、導光部２２の光反射面２６と同じパターンを有している。すなわち、光反射面３３は、少なくとも２方向に沿って配列された複数の反射領域３５、３５、…に分割され、碁盤目状に形成されている。また、この光反射面３３は、反射鏡２３の厚みを薄くするためにフレネル反射面としてあり、各反射領域３５、３５、…間には段差部が形成されている。そして、導光部２２の光反射面２６と反射鏡２３の光反射面３３とは、互いに同じ形状の反射領域２８；３５が同じ位置に配置されていて同じパターンとなっている。
【００４２】
図９又は図１７に示すように、導光部２２と反射鏡２３は、導光部２２の裏面（光反射面２６）と反射鏡２３の表面（光反射面３３）との間に微小な間隙をあけて対向させられている。すなわち、導光部２２と反射鏡２３の間の空間は空気層となっている。この空気層は、光の波長に比べて十分に大きな厚みを有しているので、光反射面２６に入射した光の一部がフレネル反射して残りの光が透過し、また、光の入射角度によっては全反射する。
【００４３】
こうして導光部２２と反射鏡２３を組み合わせて発光光源２１を組み立てた状態では、導光部２２の光反射面２６の各反射領域２８と反射鏡２３の光反射面３３の各反射領域３５とが均一な距離を保って対向しており、同じ形状の反射領域２８；３５同士が互いに対向し、また、段差部どうしも互いに対向し合っている。
【００４４】
図１７は本発明の発光光源２１において発光素子２４Ｒ、２４Ｇ、２４ｂから出射された光の典型的な挙動を示す断面図であって、辺に平行な方向における正中断面を表わしている。なお、図面においては、光は細線の矢印で表わす。導光部２２の裏面側の中心部には、例えばＬＥＤからなる赤、緑、青の発光素子２４Ｒ、２４Ｇ、２４Ｂが配置される。具体的にいうと、各発光素子２４Ｒ、２４Ｇ、２４Ｂは配線基板２０の上に実装されており、導光部２２と反射鏡２３を一体化したものが、各発光素子２４Ｒ、２４Ｇ、２４Ｂを覆うようにして配線基板２０の上に接着剤によって接合一体化されている。
【００４５】
発光光源２１の中心部に配置された赤、緑、青の３色の発光素子２４Ｒ、２４Ｇ、２４Ｂを発光させると、直接出射領域２９には、発光素子２４Ｒ、２４Ｇ、２４Ｂから出射された光のうち、導光部２２の界面における全反射の臨界角よりも小さな出射角で出射された光が入射し、この光は直接出射領域２９を透過して発光光源２１から直接前方へ出射される。
【００４６】
全反射領域３１には、全反射の臨界角よりも大きな出射角で出射された光が入射し、この光は全反射領域３１で全反射されることによって導光部２２の光反射面２６に入射する。光反射面２６に入射した光の一部は光反射面２６でフレネル反射され、光反射面２６で反射された光は、全反射領域３０を透過して前方へ出射される。また、光反射面２６を透過した光は、反射鏡２３の光反射面３３で反射され、全反射領域３０を透過して前方へ出射される。
【００４７】
全反射領域３０には、全反射の臨界角よりも大きな出射角で出射された光が入射し、この光は全反射領域３０で全反射されることによって光反射面２６に入射する。光反射面２６に入射した光の一部は光反射面２６でフレネル反射され、光反射面２６で反射された光は、全反射領域３０を透過して前方へ出射される。また、光反射面２６を透過した光は、反射鏡２３の光反射面３３で反射され、全反射領域３０を透過して前方へ出射される。
【００４８】
直接出射領域２９への出射角と全反射領域への出射角との中間の出射角で発光素子２４Ｒ、２４Ｇ、２４Ｂから出射された光は、傾斜全反射領域３２に入射し、傾斜全反射領域３２及び直接出射領域２９で２回全反射された後、反射領域３６に入射する。光反射面２６に入射した光の一部は光反射面２６でフレネル反射され、光反射面２６で反射された光は、全反射領域３０を透過して前方へ出射される。また、光反射面２６を透過した光は、反射鏡２３の光反射面３３で反射され、全反射領域３０を透過して前方へ出射される。
【００４９】
なお、発光光源２１のコーナー部では、光反射面２６には大きな入射角で光が入射するので、ここでは導光部２２の光反射面２６に入射した光が光反射面２６で全反射されて全反射領域３０から前方へ出射されるようになっていてもよい。
【００５０】
背景技術の欄でも説明したように、従来の発光光源では、照射面Ｔが発光光源に近くなると、照射面において色むらや輝度むらが顕著になるという問題があった。また、フレネル反射面形状を有する反射鏡の場合には、反射領域の間に段差部があるため、この段差部の陰になって光の届かない領域が照射面に光反射面のパターンを映し出す問題があった。
【００５１】
これに対し、当該実施例の発光光源２１では、図１８に示すように、ある方向から入射した光Ｌ５を導光部２２の光反射面２６と反射鏡２３の光反射面３３とでは異なる方向へ反射させることができるので、２層の光反射面で反射された光が重なり合うことにより、照射面Ｔにおいて色むらや輝度むらが発生しにくく、均一に照明することができる。また、光反射面のパターンが照射面に映り込むのも防止することができる。
【００５２】
図１９は導光部２２の光反射面２６と反射鏡２３の光反射面３３とが同一形状でありながら、反射光の反射方向が異なる理由を説明する図である。図１９から分かるように、導光部２２の光反射面２６と反射鏡２３の光反射面３３とがいずれも非球面又は球面状の凹曲面であるとすると、同一方向から光線Ｌ５が入射しても、導光部２２の反射面２６における光入射点Ｐ１は、反射鏡２３の光反射面３３における光入射点Ｐ２よりも内側にずれている。光反射面２６、３３の接平面を考えると、光入射点Ｐ１における接平面Ｑ１の傾きは、光入射点Ｐ２における接平面Ｑ２の傾きよりも緩やかであるから、導光部２２の光反射面２６で反射された反射光は、反射鏡２３の光反射面３３で反射された光よりも外側に広がることになる。
【００５３】
よって、反射鏡２３の光反射面３３を所望の反射光特性が得られるように設計しておけば、同じパターンを前方（すなわち、導光部２２の裏面）に設けることで反射光をばらつかせることができ、反射鏡２３の光反射面３３だけでは光量の足りなかった部分に光を供給することができ、発光光源２１の色むら、輝度むら、段差部に起因する暗部などを解消することができるのである。
【００５４】
また、従来の発光光源では、図７に示すように、発光素子１３から遠くにある反射領域１７ａでは反射される光Ｌ４の光路長が長くなり、入射光の光量が少なくなる。しかも、反射領域の反射率はどれも同じである。そのため、中心から遠くにある反射領域１７ａでは、中心に近い反射領域１７ｃに比べて反射光の光量が小さくなり、輝度が不均一になるおそれがある。
【００５５】
これに対し、本実施例の発光光源２１においては、反射鏡２３の光反射面３３における反射率はいずれの領域においても８０〜９０％である。また、導光部２２の光反射面２６で反射される光の反射率は、発光素子２４Ｒ、２４Ｇ、２４Ｂに近い側では入射光量の数％に過ぎないが、発光素子２４Ｒ、２４Ｇ、２４Ｂから遠くなると、全反射により１００％となる。従って、本発明の発光光源２１の場合には、図２０に示すように、発光素子２４Ｒ、２４Ｇ、２４Ｂに近い側では導光部２２の光反射面２６で入射光量の数％が反射され、さらにその残りの入射光量の８０〜９０％が反射鏡２３の光反射面３３で反射されるに過ぎない。これに対し、発光素子２４Ｒ、２４Ｇ、２４Ｂから遠い側では、入射光量は少なくなるが、その反射率は導光部２２の光反射面２６による全反射で１００％となる。よって、この実施例の発光光源２１によれば、発光光源２１の周辺部において光量が急激に少なくなって縁が暗くなるのを防止することができる。
【００５６】
次に、中央部に１個の発光素子を配置した対角方向長さが４０ｍｍの本実施例の発光光源２１による出射光特性をシミュレーションにより評価した結果を説明する。図２１は、本実施例の発光光源２１の中心を通る対角方向の断面において、発光素子２４Ｒ、２４Ｇ、２４Ｂから出射されて両光反射面２６、３３で反射されることなく直接に発光光源２１から出射される光線を表わし、図２２は、発光光源２１から所定距離に設定された照射面Ｔにおける、当該直接出射光による光強度の分布を表わしている。また、図２３は、当該発光光源２１の中心を通る対角方向の断面において、反射鏡２３の光反射面３３で正反射された後、発光光源２１から出射される光線を表わし、図２４は、発光光源２１から所定距離に設定された照射面Ｔにおける、当該正反射光による光強度の分布を表わしている。図２５は、当該発光光源２１の中心を通る対角方向の断面において、導光部２２の光反射面２６でフレネル反射（全反射を含む。）された後、発光光源２１から出射される光線を表わし、図２６は、発光光源２１から所定距離に設定された照射面Ｔにおける、当該フレネル反射光による光強度の分布を表わしている。
【００５７】
図２７は、図２２、図２４及び図２６の光強度分布を加え合わせた結果を表わしている。すなわち、図２７は直接出射光、正反射光及びフレネル反射光を加え合わせた光強度分布であって、本願発明にかかる発光光源２１の特性を表わしている。一方、図２８は、図２２及び図２４の光強度分布を加え合わせた結果を表わしている。すなわち、図２８は直接出射光及び正反射光を加え合わせた光強度分布であって、従来例の特性を表わしている。図２８に示した従来例の特性では、発光光源の中央部で光強度が高く、発光光源のコーナー部分で光強度が低くなっており、かなり輝度むらが大きくなっている。これに対し、図２７に示した本発明実施例の特性では、中央部の光強度が抑制されており、また、発光光源のコーナー部分で光強度が高くなっており、全体にわたって光強度の均一化が図られている。
【００５８】
図２９は、本実施例の発光光源２１の中心を通り辺と平行な方向の断面において、光反射面３３で正反射された光と光反射面２６でフレネル反射された光を表わしている。図３０は従来例の発光光源の中心を通り辺と平行な方向の断面において、反射鏡で正反射された光を表わしている。従来例では、図３０に示されているように、出射光の方向はよく揃っている。しかし、そのために、図３１に示す光強度分布のように、光強度の変化が大きくなっている。これに対し、本実施例の場合には、出射光の方向がばらついており、そのため図３１に示す光強度分布のように、照射面Ｔにおける光強度の変動は従来例よりも小さくなっている。
【００５９】
図３２及び図３３は、発光光源を対角方向に２個並べた場合の出射光特性をシミュレーション結果を表わしている。図３２は直接出射光、正反射光及びフレネル反射光を考慮した結果を表わしており、本実施例の発光光源の出射光特性に相当する。図３３は直接出射光及び正反射光を考慮した結果を表わしており、従来例の出射光特性に相当する。光反射面が１層だけの従来例では、図３３に示すように、発光光源どうしの境界部分に対応する箇所で光強度がほとんどゼロで暗くなっているのに対し、本実施例の発光光源の場合には、図３２に示すように、発光光源どうしの境界部分でも均一な明るさを保っている。
【実施例２】
【００６０】
図３４は本発明の実施例２による発光光源４１を示す斜視図、図３５はその分解斜視図である。また、図３６は当該発光光源４１の断面図である。この実施例においては、導光部２２の４辺に切欠き部４２を設け、反射鏡２３の前面４辺に突起部４３を設け、切欠き部４２と突起部４３を噛み合わせるようにして導光部２２を反射鏡２３と重ね合わせることにより、導光部２２の反射鏡２３と反射鏡２３の光反射面３３とを互いに位置決めできるようにしている。
【００６１】
また、導光部２２の裏面コーナー部には、それぞれ裏面側に向けて脚部４４が突出しており、当該脚部４４を反射鏡２３の前面に当接させることにより、導光部２２の光反射面２６と反射鏡２３の光反射面３３との間の間隔を所定値に保持できるようにしている。
【００６２】
導光部２２の裏面には、略球面状をした窪み４５が形成されており、窪み４５の中央部に発光素子２４Ｒ、２４Ｇ、２４Ｂを配置することにより、各発光素子２４Ｒ、２４Ｇ、２４Ｂの光を効率よく導光部２２内に導入できるようにしている。
【００６３】
なお、図３６においては、導光部２２の光反射面２６と反射鏡２３の光反射面３３との間の空間は空気層となっているが、ここには導光部２２よりも屈折率の小さな透明樹脂を充填してもよい。
【００６４】
図３７は実施例２の変形例であって、導光部２２裏面の光反射面２６を、導光部２２と空気との中間の屈折率を有する透明な被膜４６で覆っている。かかる変形例によれば、被膜４６と空気との界面が、入射した光の一部を反射させ残りの光を透過させる第３の光反射面４７となるので、３層の光反射面２６、４７、３３によって光を反射させることができ、これらの反射光を重ね合わせることでより均一な特性を得ることができる。
【実施例３】
【００６５】
図３８は本発明の実施例３による発光光源５１を示す斜視図である。図３９Ａ、図３９Ｂ、図３９Ｃ及び図３９Ｄは、それぞれ当該発光光源５１の正面図、背面図、上面図及び側面図である。図４０は発光光源５１の断面図である。また、図４１は反射鏡２３の正面図である。この発光光源５１は、実施例１の発光光源２１とほぼ同じ構造を有しているが、実施例１の発光光源２１では導光部２２の光反射面２６と反射鏡２３の光反射面３３とが各パターンを同じ位置に配置されていたのに対し、実施例３の発光光源５１では図４０に示すように、両光反射面２６、３３の位置を互いにずらせてある。ここで用いられている導光部２２は、実施例１で説明したものと同じものであるが、反射鏡２３の光反射面３３は実施例１とは異なっている。実施例１では、光反射面３３のパターンは、光反射面２６と同様に一定のピッチで配列されていたが、実施例３の反射鏡２３では、図４１に示すように、各辺の中央部で反射領域３５を広くすることにより、光反射面３３のパターンを光反射面２６とずらせている。よって、光反射面２６の段差部５２と光反射面３３の段差部５３も互いにずれている。
【００６６】
この実施例では、導光部２２の光反射面２６と反射鏡２３の光反射面３３とでパターンの配置をずらせているので、光反射面２６で反射される光と光反射面３３で反射される光の方向をより異ならせることができ、出射光をよりランダムにして均一化を図ることができる。また、光反射面２６のパターンと光反射面３３のパターンをずらすことで、反射領域間の段差部分がより目立ちにくくできる。
【実施例４】
【００６７】
図４２は本発明の実施例４による発光光源６１を示す斜視図である。図４３Ａ、図４３Ｂ、図４３Ｃ及び図４３Ｄは、それぞれ発光光源６１の正面図、背面図、上面図及び側面図である。図４４は実施例４の発光光源６１を構成する導光部２２の裏面側からの斜視図、図４５Ａ、図４５Ｂ、図４５Ｃ及び図４５Ｄは、それぞれ導光部２２の正面図、背面図、上面図及び側面図である。図４６は実施例４の発光光源６１を構成する反射鏡２３の斜視図、図４７Ａ、図４７Ｂ、図４７Ｃ及び図４７Ｄは、それぞれ反射鏡２３の正面図、背面図、上面図及び側面図である。図４８は反射鏡２３の断面図である。
【００６８】
この発光光源６１は、導光部２２の光反射面２６と反射鏡２３の光反射面３３が、それぞれ同心円状に配置された輪帯状の反射領域２８、３５によって構成されている点を特徴としている。
【実施例５】
【００６９】
図４９は本発明の実施例５による発光光源７１を示す斜視図である。図５０Ａ、図５０Ｂ、図５０Ｃ及び図５０Ｄは、それぞれ発光光源７１の正面図、背面図、上面図及び側面図である。図５１Ａ、図５１Ｂは実施例５の発光光源７１を構成する導光部２２の前面側と裏面側からの斜視図である。図５２Ａ、図５２Ｂ、図５２Ｃ及び図５２Ｄは、それぞれ導光部２２の正面図、背面図、上面図及び側面図である。図５３は実施例５の発光光源７１を構成する反射鏡２３の斜視図、図５４Ａ、図５４Ｂ、図５４Ｃ及び図５４Ｄは、それぞれ反射鏡２３の正面図、背面図、上面図及び側面図である。図５５は反射鏡２３の断面図である。
【００７０】
この発光光源７１はその外形、すなわち導光部２２の外形及び反射鏡２３の外形が前面から見て正六角形状をしている点を特徴としている。さらに、導光部２２の光反射面２６を構成する各反射領域２８も正六角形状となっており、反射鏡２３の光反射面３３を構成する各反射領域３５も正六角形状となっている。
【実施例６】
【００７１】
図５６は本発明の実施例６による発光光源アレイ８１を示す斜視図である。この発光光源アレイ８１は、例えば矩形状をした発光光源アレイ２１を縦横に複数個ずつ配列させたものである。このように複数個の発光光源を並べて発光光源アレイ８１を構成すれば、より大面積の光源を作製することができる。しかも、本発明の発光光源アレイ８１によれば、図３２において説明したように発光光源どうしのつなぎ目で暗くなりにくいので、大面積で均一な明るさの発光光源アレイ８１を得ることができる。
【実施例７】
【００７２】
図５７は本発明の実施例７による液晶ディスプレイ（液晶表示装置）９１の構造を示す概略断面図である。液晶ディスプレイ９１は、液晶パネル９２の裏面にバックライト９３を配置して構成されている。液晶パネル９２は一般的なものであって、裏面側から順次、偏光板９４、液晶セル９５、位相差板９６、偏光板９７及び反射防止フィルム９８を積層して構成されている。
【００７３】
バックライト９３は、複数個の発光光源２１を並べた発光光源アレイ８１の前面に、光拡散フィルム１０１、プリズムシート１０２及び輝度向上フィルム１０３を配置したものである。発光光源２１は前面から見て正方形状に形成されており、当該発光光源２１を百個前後ないし数百個碁盤目状に並べて発光光源アレイ８１が構成されている。光拡散フィルム１０１は、発光光源アレイ８１から出射された光を拡散させることにより、輝度の均一化を図ると共に発光光源アレイ８１から出射された各色の光を均一に混色させる働きをする。プリズムシート１０２は、斜めに入射した光を屈折又は内部反射させることによりプリズムシート１０２に垂直な方向へ曲げて透過させるものであり、これによってバックライト９３の正面輝度を高めることができる。
【００７４】
輝度向上フィルム１０３は、ある偏光面内の直線偏光を透過させ、これと直交する偏光面内の直線偏光を反射させるフィルムであって、発光光源アレイ８１から出射される光の利用効率を高める働きをする。すなわち、輝度向上フィルム１０３は、透過光の偏光面が液晶パネル９２に用いられている偏光板９４の偏光面と一致するように配置されている。従って、発光光源アレイ８１から出射された光のうち、偏光板９４と偏光面が一致する光は輝度向上フィルム１０３を透過して液晶パネル９２内に入射するが、偏光板９４と偏光面が直交する光は輝度向上フィルム１０３で反射されて戻り、発光光源アレイ８１で反射されて再び輝度向上フィルム１０３に入射する。輝度向上フィルム１０３で反射されて戻った光は、発光光源アレイ８１で反射されて再度輝度向上フィルム１０３に再入射するまでに偏光面が回転しているので、その一部は輝度向上フィルム１０３を透過する。このような作用を繰り返すことによって、発光光源アレイ８１から出射された光の大部分が液晶パネル９２で利用されることになり、液晶パネル９２の輝度が向上する。
【００７５】
このような液晶ディスプレイ９１によれば、色むらや輝度むらのない良好な画像を表示させることが可能になる。
【図面の簡単な説明】
【００７６】
【図１】図１は、従来例の発光光源の一部を示す断面図である。
【図２】図２は、従来例の発光光源において、導光部を除いて発光素子と反射鏡を表わした正面図である。
【図３】図３は、従来例の発光光源の中心部に赤、緑、青の３つの発光色の発光素子を配置した場合の各色の光の挙動と所定の照射面における各色の広がりを表わした、発光光源の一部を示す断面図である。
【図４】図４は、図３の発光光源において、その反射領域をより小さく分割した場合の、各色の光の挙動と所定の照射面における各色の広がりを表わした、発光光源の一部を示す断面図である。
【図５】図５は、図４に示した発光光源において、図４の場合よりも近くに設定された照射面における各色の広がりを表わした、発光光源の一部を示す断面図である。
【図６】図６は、図４に示した発光光源の別な問題点を説明する図である。
【図７】図７は、図４に示した発光光源のさらに別な問題点を説明する図である。
【図８】図８は、本発明の実施例１による発光光源の外形を示す斜視図である。
【図９】図９は、実施例１による発光光源の外観斜視図である。
【図１０】図１０は実施例１による発光光源の分解斜視図である。
【図１１】図１１Ａ、図１１Ｂ、図１１Ｃ及び図１１Ｄは、それぞれ実施例１による発光光源の正面図、背面図、上面図及び側面図である。
【図１２】図１２Ａは導光部の前面側からの斜視図、図１２Ｂは導光部２２の裏面側からの斜視図である。
【図１３】図１３Ａ、図１３Ｂ、図１３Ｃ及び図１３Ｄは、それぞれ導光部の正面図、背面図、上面図及び側面図である。
【図１４】図１４は、反射鏡の前面側からの斜視図である。
【図１５】図１５Ａ、図１５Ｂ、図１５Ｃ及び図１５Ｄは、それぞれ反射鏡の正面図、背面図、上面図及び側面図である。
【図１６】図１６Ａは図１５ＡのＸ−Ｘ線断面図、図１６Ｂは図１５ＡのＹ−Ｙ線断面図である。
【図１７】図１７は、実施例１による発光光源における光の挙動を説明するための断面図である。
【図１８】図１８は、実施例１による発光光源の作用説明図である。
【図１９】図１９は、導光部の光反射面と反射鏡の光反射面とが同一形状でありながら、反射光の反射方向が異なる理由を説明する図である。
【図２０】図２０は、実施例１による発光光源の作用説明図である。
【図２１】図２１は、発光素子から出射されて直接発光光源から出射される光線を表わす対角方向における断面図である。
【図２２】図２２は、発光光源から所定距離に設定された照射面における、直接出射光による光強度の分布を表わす図である。
【図２３】図２３は、反射鏡の光反射面で正反射された後、発光光源から出射される光線を表わす対角方向における断面図である。
【図２４】図２４は、発光光源から所定距離に設定された照射面における、正反射光による光強度の分布を表わす図である。
【図２５】図２５は、導光部の光反射面でフレネル反射した後、発光光源から出射される光線を表わす対角方向における断面図である。
【図２６】図２６は、発光光源から所定距離に設定された照射面における、フレネル反射光による光強度の分布を表わす図である。
【図２７】図２７は、図２２、図２４及び図２６の光強度分布を加え合わせた結果を表わす図である。
【図２８】図２８は、図２２及び図２４の光強度分布を加え合わせた結果を表わす図である。
【図２９】図２９は、発光光源の中心を通り辺と平行な方向の断面において、反射鏡の光反射面で正反射された光と導光部の光反射面でフレネル反射された光を表わす断面図である。
【図３０】図３０は、従来例の発光光源の中心を通り辺と平行な方向の断面において、反射鏡で正反射された光を表わす断面図である。
【図３１】図３１は、図２９に示した光線と図３０に示した光線による、照射面での光強度の分布を表わす図である。
【図３２】図３２は、本発明の発光光源を対角方向に２個並べた場合の出射光特性をシミュレーション結果を表わす図である。
【図３３】図３３は、従来例の発光光源を対角方向に２個並べた場合の出射光特性をシミュレーション結果を表わす図である。
【図３４】図３４は、本発明の実施例２による発光光源を示す斜視図である。
【図３５】図３５は、実施例２による発光光源の分解斜視図である。
【図３６】図３６は、実施例２による発光光源の断面図である。
【図３７】図３７は、実施例２の変形例を示す断面図である。
【図３８】図３８は、本発明の実施例３による発光光源を示す斜視図である。
【図３９】図３９Ａ、図３９Ｂ、図３９Ｃ及び図３９Ｄは、それぞれ実施例３による発光光源の正面図、背面図、上面図及び側面図である。
【図４０】図４０は、実施例３による発光光源の断面図である。
【図４１】図４１は、反射鏡の正面図である。
【図４２】図４２は、本発明の実施例４による発光光源を示す斜視図である。
【図４３】図４３Ａ、図４３Ｂ、図４３Ｃ及び図４３Ｄは、それぞれ実施例４による発光光源の正面図、背面図、上面図及び側面図である。
【図４４】図４４は、実施例４における導光部の裏面側からの斜視図である。
【図４５】図４５Ａ、図４５Ｂ、図４５Ｃ及び図４５Ｄは、それぞれ実施例４における導光部の正面図、背面図、上面図及び側面図である。
【図４６】図４６は、実施例４における反射鏡の斜視図である。
【図４７】図４７Ａ、図４７Ｂ、図４７Ｃ及び図４７Ｄは、それぞれ実施例４における反射鏡の正面図、背面図、上面図及び側面図である。
【図４８】図４８は、実施例４における反射鏡の断面図である。
【図４９】図４９は、本発明の実施例５による発光光源を示す斜視図である。
【図５０】図５０Ａ、図５０Ｂ、図５０Ｃ及び図５０Ｄは、それぞれ実施例５による発光光源の正面図、背面図、上面図及び側面図である。
【図５１】図５１Ａ及び図５１Ｂは、実施例５における導光部の前面側と裏面側からの斜視図である。
【図５２】図５２Ａ、図５２Ｂ、図５２Ｃ及び図５２Ｄは、それぞれ実施例５における導光部の正面図、背面図、上面図及び側面図である。
【図５３】図５３は、実施例５における反射鏡の斜視図である。
【図５４】図５４Ａ、図５４Ｂ、図５４Ｃ及び図５４Ｄは、それぞれ実施例５における反射鏡の正面図、背面図、上面図及び側面図である。
【図５５】図５５は、実施例５における反射鏡の断面図である。
【図５６】図５６は、本発明の実施例６による発光光源アレイを示す斜視図である。
【図５７】図５７は、本発明の実施例７による液晶ディスプレイの構造を示す概略断面図である。
【符号の説明】
【００７７】
２１、４１、５１、６１、７１  発光光源
２２  導光部
２３  反射鏡
２４Ｒ、２４Ｇ、２４Ｂ  発光素子
２６  導光部の光反射面
２８  導光部の反射領域
３３  反射鏡の光反射面
３５  反射鏡の反射領域
４７  光反射面
【図１】
2006339320.tif 000003
【図２】
2006339320.tif 000004
【図３】
2006339320.tif 000005
【図４】
2006339320.tif 000006
【図５】
2006339320.tif 000007
【図６】
2006339320.tif 000008
【図７】
2006339320.tif 000009
【図８】
2006339320.tif 000010
【図９】
2006339320.tif 000011
【図１０】
2006339320.tif 000012
【図１１】
2006339320.tif 000013
【図１２】
2006339320.tif 000014
【図１３】
2006339320.tif 000015
【図１４】
2006339320.tif 000016
【図１５】
2006339320.tif 000017
【図１６】
2006339320.tif 000018
【図１７】
2006339320.tif 000019
【図１８】
2006339320.tif 000020
【図１９】
2006339320.tif 000021
【図２０】
2006339320.tif 000022
【図２１】
2006339320.tif 000023
【図２２】
2006339320.tif 000024
【図２３】
2006339320.tif 000025
【図２４】
2006339320.tif 000026
【図２５】
2006339320.tif 000027
【図２６】
2006339320.tif 000028
【図２７】
2006339320.tif 000029
【図２８】
2006339320.tif 000030
【図２９】
2006339320.tif 000031
【図３０】
2006339320.tif 000032
【図３１】
2006339320.tif 000033
【図３２】
2006339320.tif 000034
【図３３】
2006339320.tif 000035
【図３４】
2006339320.tif 000036
【図３５】
2006339320.tif 000037
【図３６】
2006339320.tif 000038
【図３７】
2006339320.tif 000039
【図３８】
2006339320.tif 000040
【図３９】
2006339320.tif 000041
【図４０】
2006339320.tif 000042
【図４１】
2006339320.tif 000043
【図４２】
2006339320.tif 000044
【図４３】
2006339320.tif 000045
【図４４】
2006339320.tif 000046
【図４５】
2006339320.tif 000047
【図４６】
2006339320.tif 000048
【図４７】
2006339320.tif 000049
【図４８】
2006339320.tif 000050
【図４９】
2006339320.tif 000051
【図５０】
2006339320.tif 000052
【図５１】
2006339320.tif 000053
【図５２】
2006339320.tif 000054
【図５３】
2006339320.tif 000055
【図５４】
2006339320.tif 000056
【図５５】
2006339320.tif 000057
【図５６】
2006339320.tif 000058
【図５７】
2006339320.tif 000059